(57)【要約】【課題】浴槽載置面が躯体床で形成される在来工法において、キャッチャが捕捉した異物を容易に廃棄可能にし、かつ排水を好適に通過させる。【解決手段】  本発明の排水装置は、躯体床からなる浴槽載置面３ａ上に浴槽５が載置され、浴槽載置面３ａの隣りに洗い場床面７ａが位置する浴室１ａに用いられる。排水装置は排水トラップ１５と浴槽排水パイプ１７ａとを具備している。排水トラップ１５のハウジング１９には、洗い場排水流入口１９ｂと、封水部１９ｃと、排水口１９ｄと、浴槽排水流入口１９ｅとが形成されている。また、ハウジング１９内には、洗い場排水流入口１９ｂの下方に位置し、内周面が網部３１ａと略同心の円筒面等をなし、底が開いた流入室Ｒ１と、流入室Ｒ１と封水Ｗを経て連通し、排水口１９ｄに連通する流出室Ｒ２と、浴槽排水流入口１９ｅから流入する浴槽排水を浴槽排水流出口１９ｆにより流入室Ｒ１に接線方向で吐出させる案内路１９ｇとが形成されている。浴槽排水パイプ１７の一端は浴槽載置面３より上方まで延びている。【選択図】図２
2009281044.tif 000002
【特許請求の範囲】
【請求項１】
躯体床からなる浴槽載置面上に浴槽が載置され、該浴槽載置面の隣りに該躯体床からなる洗い場床面が位置する浴室に用いられ、
該洗い場床面の下方に設置される排水トラップと、一端が該浴槽の浴槽排水口に接続され、他端が該排水トラップに接続される浴槽排水パイプとを具備している排水装置であって、
前記排水トラップは、前記洗い場床面に水平かつ円形で開いて洗い場排水が流入する洗い場排水流入口と、該洗い場排水流入口の下方に封水を確保する封水部と、該封水部から溢れる排水を排出させる排水口と、前記浴槽排水パイプが接続されて浴槽排水が流入する浴槽排水流入口とが形成されたハウジングと、
前記洗い場排水流入口に上方から着脱可能に装着され、内側から外側に向けて排水を通過させつつ異物を内側に捕捉し、底が前記封水から離反される網部を有するキャッチャとを備え、
該ハウジング内には、該洗い場排水流入口の下方に位置する流入室と、該流入室と前記封水を経て連通し、前記排水口に連通する流出室と、該浴槽排水流入口から流入する該浴槽排水を浴槽排水流出口により該流入室に接線方向で吐出させる案内路とが形成され、
前記浴槽排水パイプの一端は前記浴槽載置面より上方まで延びていることを特徴とする排水装置。
【請求項２】
前記洗い場排水流入口は、前記洗い場床面に凹設された排水枡に開き、
前記浴槽排水パイプの一端は該洗い場排水流入口より上方である請求項１記載の排水装置。
【請求項３】
前記ハウジングには、一端が前記洗い場排水流入口より上方に開く吸込口とされ、他端が前記封水内に開く給気口とされた給気パイプが備えられている請求項２記載の排水装置。
【請求項４】
前記浴槽は、底面と、該底面から立ち上がる立面とを有し、
該立面に第２の浴槽排水口が形成され、前記浴槽排水パイプの一端は該第２の浴槽排水口と接続されている請求項１乃至３のいずれか１項記載の排水装置。
【請求項５】
請求項１乃至４のいずれか１項記載の排水装置を備えていることを特徴とする浴室。
【発明の詳細な説明】
【技術分野】
【０００１】
本発明は、排水装置と、この排水装置を備えた浴室とに関する。
【背景技術】
【０００２】
特許文献１には、洗い場床面の下方に設置される従来の排水トラップが開示されている。洗い場床面は洗い場パンによって形成されている。排水トラップは、ハウジングとキャッチャとを備えている。
【０００３】
排水トラップのハウジングには、洗い場床面に水平に開く洗い場排水流入口が形成されている。洗い場床面を流れる洗い場排水は洗い場排水流入口に流入するようになっている。また、ハウジングには、洗い場排水流入口の下方に封水を確保する封水部と、封水部から溢れる排水を排出させる排水口とが形成されている。さらに、ハウジング内には、円筒状の防臭パイプが洗い場排水流入口の下方に向かって設けられている。防臭パイプの底は封水内に開いており、防臭パイプ内は封水を経て排水口に連通している。
【０００４】
また、ハウジングには、浴槽排水パイプが接続される浴槽排水流入口が形成されている。浴槽内の浴槽排水は浴槽排水パイプにより浴槽排水流入口に流入するようになっている。そして、ハウジングには、浴槽排水流入口と連通する案内路が形成され、案内路は浴槽排水を浴槽排水流出口により封水部内に連通させている。
【０００５】
排水トラップのキャッチャはハウジングの洗い場排水流入口に上方から着脱可能に装着されている。このキャッチャは、下方に向かって先細りとなる円錐状に形成された網部を有している。網部は、内側から外側に向けて排水を通過させつつ異物を内側に捕捉するようになっている。また、網部は、底が封水から離反されている。
【０００６】
洗い場床面の隣りには浴槽パンが設けられており、浴槽パン上に浴槽が設けられている。洗い場パン及び浴槽パンの下方に躯体床が存在している。浴槽の下端には浴槽排水を流すための浴槽排水口が設けられている。
【０００７】
浴槽排水パイプは第１パイプと第２パイプとからなる。第１パイプは、一端が浴槽の浴槽排水口に接続され、他端が下方に向けられている。第２パイプは、一端が浴槽パンに固定されて第１パイプの他端を受けるように上方に向けられ、他端が排水トラップの浴槽排水流入口に接続されている。こうして、従来の排水トラップは浴槽排水パイプとともに排水装置を構成している。
【０００８】
この排水装置では、排水トラップにおいて、洗い場床面を流れる洗い場排水がキャッチャの網部を経て封水に至ることから、洗い場排水が含む毛髪等の異物を網部の内側に捕捉することが可能である。
【０００９】
また、浴槽から排出される浴槽排水は、浴槽排水パイプの第１パイプ及び第２パイプを経て浴槽排水流入口から排水トラップ内に案内され、案内路を経て浴槽排水流出口から封水部内の封水内に吐出される。そして、浴槽排水は排水口から排出される。このため、浴槽排水を排出するための別個の排水装置が不要になる。
【００１０】
【特許文献１】特開２００８−２２１７号公報
【発明の開示】
【発明が解決しようとする課題】
【００１１】
しかし、上記従来の排水装置は、浴槽排水を排水トラップを介して単に排出しているに過ぎないため、キャッチャの網部に異物が絡みやすく、異物を廃棄し難いとともに、異物が排水を通過し難くしてしまう。
【００１２】
また、この排水装置は、洗い場パン及び浴槽パンを用いたユニットバスに採用されるものであり、浴槽載置面が躯体床で形成される在来工法においては、どのように施工されるかが不明である。
【００１３】
本発明は、上記従来の実情に鑑みてなされたものであって、浴槽載置面が躯体床で形成される在来工法において、キャッチャが捕捉した異物を容易に廃棄可能にし、かつ排水を好適に通過させることを解決すべき課題としている。
【課題を解決するための手段】
【００１４】
本発明の排水装置は、躯体床からなる浴槽載置面上に浴槽が載置され、該浴槽載置面の隣りに該躯体床からなる洗い場床面が位置する浴室に用いられ、
該洗い場床面の下方に設置される排水トラップと、一端が該浴槽の浴槽排水口に接続され、他端が該排水トラップに接続される浴槽排水パイプとを具備している排水装置であって、
前記排水トラップは、前記洗い場床面に水平かつ円形で開いて洗い場排水が流入する洗い場排水流入口と、該洗い場排水流入口の下方に封水を確保する封水部と、該封水部から溢れる排水を排出させる排水口と、前記浴槽排水パイプが接続されて浴槽排水が流入する浴槽排水流入口とが形成されたハウジングと、
前記洗い場排水流入口に上方から着脱可能に装着され、内側から外側に向けて排水を通過させつつ異物を内側に捕捉し、底が前記封水から離反される網部を有するキャッチャとを備え、
該ハウジング内には、該洗い場排水流入口の下方に位置する流入室と、該流入室と前記封水を経て連通し、前記排水口に連通する流出室と、該浴槽排水流入口から流入する該浴槽排水を浴槽排水流出口により該流入室に接線方向で吐出させる案内路とが形成され、
前記浴槽排水パイプの一端は前記浴槽載置面より上方まで延びていることを特徴とする（請求項１）。
【００１５】
本発明の排水装置は、浴槽載置面が躯体床で形成される在来工法において、浴槽排水パイプの一端がその浴槽載置面より上方まで延び、浴槽排水パイプの他端が排水トラップに接続されることにより施工される。
【００１６】
また、この排水装置においては、排水トラップにおいて、洗い場床面を流れる洗い場排水がキャッチャの網部を経て封水に至ることから、洗い場排水が含む毛髪等の異物を網部の内側に捕捉することが可能である。
【００１７】
さらに、この排水装置では、浴槽から排出される浴槽排水は、浴槽排水パイプを経て浴槽排水流入口から排水トラップ内に案内され、案内路、流入室及び流出室を経て排水口から排出される。このため、浴槽排水を排出するための別個の排水装置が不要になる。
【００１８】
特にこの排水装置では、案内路を経た浴槽排水が浴槽排水流出口から流入室に接線方向で吐出され、流入室内に吐出された浴槽排水は流入室内で渦流を生じる。ここで、この流入室は洗い場排水流入口の下方に位置し、洗い場排水流入口にはキャッチャが上方から着脱可能に装着されている。キャッチャの網部の底は封水から離反されている。このため、流入室内の渦流はキャッチャの網部内の異物を中心に集める。また、流入室内の渦流はキャッチャの網部や流入室の内周面から皮脂等に起因するヌメリをすすぎ流す。こうして、この排水装置は、キャッチャの網部に異物が絡み難く、異物を廃棄し易い。また、キャッチャは、異物が集められているため、排水を好適に通過させることができる。
【００１９】
したがって、本発明の排水装置は、浴槽載置面が躯体床で形成される在来工法において、キャッチャが捕捉した異物を容易に廃棄可能にし、かつ排水を好適に通過させることが可能になる。
【００２０】
流入室の内周面は、網部と略同心の円筒面であったり、下方に向かって先細りとなる円錐面であったりし得る。この場合、流入室内に吐出された浴槽排水は内周面に案内されてより良好な渦流を生じる。流入室の内周面が下方に向かって先細りとなる円錐面である場合には、渦流も下方に向かって先細りの円錐状になる。このため、同様の形状であるキャッチャの網部及び流入室の内周面に効果的に渦流が作用し、上記作用が効果的に生じる。
【００２１】
本発明の排水装置は、浴槽載置面が躯体床からなり、浴槽載置面の隣りに位置する洗い場床面も躯体床からなる浴室に用いられる。
【００２２】
浴槽排水流出口は流入室の内周面に沿う形状であることが好ましい。流入室の内周面が円筒面であれば、上下に延びる縦長状である。流入室の内周面が下方に向かって先細りとなる円錐面であれば、円錐面の母線と同じく傾斜した縦長状である。この場合、浴槽排水が勢いを増して流入室に流入し、流入室内で発生する渦流が安定する。
【００２３】
洗い場排水流入口は、洗い場床面に凹設された排水枡に開き得る。また、浴槽排水パイプの一端は洗い場排水流入口より上方であり得る（請求項２）。この場合、浴槽排水が流入室内でより勢いよく渦流を生じるため、キャッチャの網部に異物がより一層絡み難く、異物をより一層廃棄し易くなる。渦流が洗い場排水流入口より上方まで生じれば、排水枡の内周面に付着している異物もキャッチャの網部の中心に集めることができるとともに、排水枡の内周面に付着しているヌメリもすすぎ流すことができる。
【００２４】
ハウジングには、一端が洗い場排水流入口より上方に開く吸込口とされ、他端が封水内に開く給気口とされた給気パイプが備えられていることが好ましい（請求項３）。この場合、排水トラップの下流の配管内で負圧が生じ、排水トラップ内の封水が下流側へ誘導される場合でも、給気パイプによって外気を取り入れることで負圧を抑制することができる。このため、封水の下流への移動を抑制して封水切れを抑制できるので、封水切れに伴う異音を抑制することができる。
【００２５】
浴槽は、底面と、この底面から立ち上がる立面とを有し得る。立面に第２の浴槽排水口が形成され得る。そして、浴槽排水パイプの一端は第２の浴槽排水口と接続され得る（請求項４）。この場合、浴槽の立面の裏側まで手を入れれば施工が可能であり、施工の際に浴槽の底面の裏側まで手を入れる必要がないことから、施工が容易になる。また、在来工法において、第１の浴槽排水口が比較的低い位置にあっても、第２の浴槽排水口から浴槽排水を浴槽排水パイプに取り入れることが可能になり、本発明の作用効果を奏することが可能になる。
【００２６】
本発明の浴室は上記排水装置を備えていることを特徴とする（請求項５）。この浴室は、在来工法によって得られながら、キャッチャが捕捉した異物を容易に廃棄可能であるため、快適な入浴環境を実現できる。
【発明を実施するための最良の形態】
【００２７】
以下、本発明を具体化した実施例１〜３を図面を参照しつつ説明する。
【実施例１】
【００２８】
実施例１の排水装置は、図１に示す浴室１ａに用いられている。この浴室１ａでは、躯体床としてのコンクリート製の浴槽載置面３ａ上に支持部材４ａ、４ｂを介して浴槽５が載置されている。浴槽５は、底面５ａと、底面５ａから立ち上がる立面５ｂとを有している。底面５ａには浴槽排水を流すための浴槽排水口５ｃが設けられている。この浴槽排水口５ｃには図示しない排水栓が設けられている。この排水栓は、手で直接開閉されるものであってもよく、他の箇所の操作によって開閉されるものであってもよい。
【００２９】
浴槽載置面３ａの隣りには洗い場床面７ａが位置している。浴槽５と洗い場床面７ａとの間にはコンクリート製のエプロン９が形成されている。図２に示すように、コンクリート製の基礎１１には排水用凹部１１ａが凹設されており、洗い場床面７ａは、基礎１１の上面と、排水用凹部１１ａ上に載置された床材１３とにより、浴槽載置面３ａと略同一高さで構成されている。床材１３には排水枡１３ａが凹設されており、排水枡１３ａの上端には洗い場排水を通過可能な蓋１３ｂが設けられている。
【００３０】
排水用凹部１１ａ内に排水装置が収納されている。この排水装置は排水トラップ１５と浴槽排水パイプ１７ａとからなる。排水トラップ１５は、洗い場床面７ａの下方に設置されている。床材１３と排水トラップ１５との間にはパッキン２０が設けられている。浴槽排水パイプ１７ａの一端は浴槽載置面３ａより上方まで延びており、浴槽排水パイプ１７ａの一端は浴槽５の浴槽排水口５ｃに接続され、浴槽排水パイプ１７ａの他端は排水トラップ１５に接続されている。浴槽排水パイプ１７ａは複数本のパイプと複数個のエルボとからなる。
【００３１】
排水トラップ１５は、ハウジング１９と、キャッチャ３１と、給気パイプ４１とを備えている。
【００３２】
ハウジング１９は複数の部材によって密閉された容器状に形成されている。図３及び図４に示すように、ハウジング１９の上端には内部に垂直に延びる筒部１９ａが形成され、筒部１９ａの上端は洗い場排水流入口１９ｂとして開口している。洗い場排水流入口１９ｂは、図２に示すように、排水枡１３ａに水平かつ円形で開いており、洗い場排水流入口１９ｂには洗い場床面７ａを流れる洗い場排水が上方から流入するようになっている。筒部１９ａの内周面は、図４に示すように、円筒面をなしている。なお、筒部１９ａの内周面を下方に向かって先細りとなる円錐面としてもよい。また、図３に示すように、筒部１９ａの下端はハウジング１９内で開いている。筒部１９ａ内は、洗い場排水流入口１９ｂの下方に位置する流入室Ｒ１とされている。
【００３３】
また、ハウジング１９には底面から立ち上がる封水部１９ｃが形成されている。封水部１９ｃは洗い場排水流入口１９ｂの下方に封水Ｗを確保している。ハウジング１９には、封水部１９ｃから溢れる排水を排出させる排水口１９ｄも形成されている。筒部１９ａは封水Ｗ内まで延びており、筒部１９ａの外側は排水口１９ｄと連通する流出室Ｒ２とされている。流出室Ｒ２は流入室Ｒ１と封水Ｗを経て連通している。なお、排水口１９ｄには、図１及び図２に示すように、排水パイプ２１が接続され、排水パイプ２１は外部の図示しない排水路に接続されている。
【００３４】
さらに、図３に示すように、ハウジング１９には浴槽排水パイプ１７ａが接続されて浴槽排水が流入する浴槽排水流入口１９ｅが形成されている。浴槽排水流入口１９ｅは封水Ｗ内に位置している。ハウジング１９には、図４に示すように、浴槽排水流入口１９ｅから流入する浴槽排水を浴槽排水流出口１９ｆにより流入室Ｒ１に接線方向で吐出させる案内路１９ｇも形成されている。図２〜４に示すように、浴槽排水口５ｃ、浴槽排水パイプ１７ａ及び浴槽排水流入口１９ｅは略同一の内径で形成されているが、案内路１９ｇは、浴槽排水流出口１９ｆに向かって、水平方向の長さが短くされつつ、上下方向の長さが長くされている。このため、浴槽排水流出口１９ｆは、流入室Ｒ１の内周面に沿って封水Ｗよりも上方まで上下に延びる縦長状とされている。
【００３５】
図３に示すように、キャッチャ３１は、ハウジング１９の洗い場排水流入口１９ｂに上方から着脱可能に装着されている。このキャッチャ３１は、内側から外側に向けて排水を通過させつつ異物を内側に捕捉する網部３１ａと、上方に延出する取っ手３３とを有している。
【００３６】
網部３１ａは、上方に位置する第１網部３１ｂと、第１網部３１ｂと一体をなして第１網部３１ｂの下方に位置する第２網部３１ｃとからなる。第１網部３１ｂは、垂直に近い母線を有し、下方に向かって先細りとなる円錐状に形成されている。第２網部３１ｃは、水平に近い母線を有し、やはり下方に向かって先細りとなる円錐状に形成されている。第１網部３１ｂ及び第２網部３１ｃと筒部１９ａの内周面とは略同心である。第２網部３１ｃの底は封水Ｗから離反されている。
【００３７】
網部３１ａの第１網部３１ｂ及び第２網部３１ｃは、図５に示すように、上下方向に延びる縦リブ３２を有している。図６に示すように、縦リブ３２の外面３２ａは円筒面の一部で形成され、周方向で存在する全縦リブ３２は各外面３２ａが円筒面を形成するように整列している。また、各縦リブ３２は、外面３２ａに対して周方向の上流側で交差する第１面３２ｂと、外面３２ａに対して周方向の下流側で交差する第２面３２ｃとを有している。全縦リブ３２の各第１面３２ｂは、各外面３２ａに対して、各第２面が各外面３２ａに対してなす角度よりも小さい鋭角で交差している。なお、周方向の上流側とは、後述のように流入室Ｒ１に浴槽排水流出口１９ｆから浴槽排水が吐出され、流入室Ｒ１内に渦流が生じるため、渦流の上流側を意味する。
【００３８】
図３に示すように、ハウジング１９には給気パイプ４１が固定されている。なお、図４では給気パイプ４１の図示を省略している。給気パイプ４１の上部はキャッチャ３１の取っ手３３内を上方に延びている。取っ手３３を人が掴むことによってキャッチャ３１をハウジング１９から外す際、キャッチャ３１は給気パイプ４１の上部に案内されることとなる。給気パイプ４１の上端は洗い場排水流入口１９ｂより上方に開く吸込口４１ａとされている。また、給気パイプ４１の下端は封水Ｗ内に位置しており、そこには多数の孔４１ｂが形成されたキャップ４１ｃが結合されている。キャップ４１ｃの各孔４１ｂが給気口である。
【００３９】
この排水装置は、浴槽載置面３ａが躯体床で形成される在来工法において、浴槽排水パイプ１７ａの一端がその浴槽載置面３ａより上方まで延び、浴槽排水パイプ１７ａの他端が排水トラップ１５に接続されることにより施工される。
【００４０】
また、この排水装置においては、排水トラップ１５において、洗い場床面７ａを流れる洗い場排水がキャッチャ３１の網部３１ａを経て封水Ｗに至ることから、洗い場排水が含む毛髪等の異物を網部３１ａの内側に捕捉することが可能である。
【００４１】
さらに、この排水装置では、浴槽５から排出される浴槽排水は、浴槽排水パイプ１７ａを経て浴槽排水流入口１９ｅから排水トラップ１５内に案内され、案内路１９ｇ、流入室Ｒ１及び流出室Ｒ２を経て排水口１９ｄから排出される。このため、浴槽排水を排出するための別個の排水装置が不要になる。
【００４２】
特にこの排水装置では、案内路１９ｇを経た浴槽排水が浴槽排水流出口１９ｆから流入室Ｒ１に接線方向で吐出される。図４に示すように、流入室Ｒ１は内周面が円筒面をなしているため、流入室Ｒ１内に吐出された浴槽排水は流入室Ｒ１内で筒部１９ａの円筒面に案内されて渦流を生じる。ここで、この流入室Ｒ１は洗い場排水流入口１９ｂの下方に位置し、洗い場排水流入口１９ｂにはキャッチャ３１が上方から着脱可能に装着されている。キャッチャ３１の網部３１ａは下方に向かって先細りとなる円錐状に形成され、網部３１ａの底は封水Ｗから離反されている。流入室Ｒ１は、内周面が網部３１ａと略同心であり、底が開いている。このため、流入室Ｒ１内の渦流はキャッチャ３１の網部３１ａ内の異物を中心に集める。また、流入室Ｒ１内の渦流はキャッチャ３１の網部３１ａや流入室Ｒ１の内周面から皮脂等に起因するヌメリをすすぎ流す。
【００４３】
この際、浴槽排水流出口１９ｆが上下に延びる縦長状に形成されているため、浴槽排水が勢いを増して流入室Ｒ１に流入し、流入室Ｒ１内で発生する渦流が安定する。また、第１網部３１ｂは母線が垂直に近いため、下方でも筒部１９ａの内周面から大きく離れることがなく、内周面に沿って旋回する渦流がキャッチャ３１内に入りやすい。また、流入室Ｒ１内の渦流は、図５及び図６に示すように、各縦リブ３２の外面３２ａに好適に案内されて勢いが弱められない。さらに、渦流の水が各縦リブ３２の第１面３２ｂに案内されて好適に網部３１ａ内に導かれる。そして、網部３１ａ内の渦流は、各縦リブ３２の第１面３２ｂが大きな抵抗にならないため、やはり勢いが弱められ難い。このため、キャッチャ３１内の異物は好適に中心に集められ、かつキャッチャ３１に付着するヌメリは好適にすすぎ流される。
【００４４】
また、洗い場排水流入口１９ｂが排水枡１３ａに開き、浴槽排水パイプ１７ａの一端は洗い場排水流入口１９ｂより上方であるため、浴槽排水が流入室Ｒ１内でより勢いよく渦流を生じる。そして、渦流が排水枡１３ａまで生じやすく、排水枡１３ａの内周面に付着している異物もキャッチャ３１の網部３１ａの中心に集めることができるとともに、排水枡１３ａの内周面に付着しているヌメリもすすぎ流すことができる。
【００４５】
こうして、この排水装置は、キャッチャ３１の網部３１ａに異物が絡み難く、異物を廃棄し易い。また、キャッチャ３１は、異物が集められているため、排水を好適に通過させることができる。
【００４６】
したがって、この排水装置は、浴槽載置面３ａが躯体床で形成される在来工法において、キャッチャ３１が捕捉した異物を容易に廃棄可能にし、かつ排水を好適に通過させることが可能になる。このため、この浴室１によれば、快適な入浴環境を実現できる。
【００４７】
また、この排水装置は、給気パイプ４１を備えているため、排水トラップ１５の下流の配管内で負圧が生じ、排水トラップ１５内の封水Ｗが下流側へ誘導される場合でも、給気パイプ４１によって外気を取り入れることで負圧を抑制することができる。このため、封水Ｗの下流への移動を抑制して封水切れを抑制できるので、封水切れに伴う異音を抑制することもできる。
【実施例２】
【００４８】
図７に示すように、実施例２の浴室１ｂは、洗い場床面７ｂが浴槽載置面３ｂより高い。また、排水用凹部１１ｂは、浴槽載置面３ｂより低い位置まで凹設されているが、実施例１よりも浅くなっている。排水トラップ１５内の封水Ｗは浴槽載置面３ｂより下方に位置している。
【００４９】
浴槽載置面３ｂ上に支持部材４ｃ、４ｄを介して浴槽５が載置されている。浴槽５は、底面５ａに設けられた浴槽排水口５ｃの他、立面５ｂに設けられた第２の浴槽排水口５ｄを有している。浴槽排水口５ｄは浴槽排水口５ｃ及び洗い場床面７ｂより高い位置に存在している。この浴槽排水口５ｄにも排水栓が設けられている。
【００５０】
浴槽排水口５ｃには排水パイプ２２が接続されている。排水パイプ２２は外部の図示しない排水路に接続されている。浴槽排水パイプ１７ｂの一端は浴槽載置面３ｂより上方まで延びており、浴槽排水パイプ１７ｂの一端は浴槽５の第２の浴槽排水口５ｄに接続され、浴槽排水パイプ１７ｂの他端は排水トラップ１５に接続されている。他の構成は実施例１と同様である。
【００５１】
この排水装置は、浴槽５の立面５ｂの裏側まで手を入れれば施工が可能であり、施工の際に浴槽５の底面５ａの裏側まで手を入れる必要がないことから、施工が容易になる。また、在来工法において、第１の浴槽排水口５ｃが比較的低い位置にあっても、第２の浴槽排水口５ｄから浴槽排水を浴槽排水パイプ１７ｂに取り入れることが可能になり、上記作用効果を奏することが可能である。他の作用効果は実施例１と同様である。
【実施例３】
【００５２】
図８に示すように、実施例３の浴室１ｃでは、洗い場床面７ｃは、浴槽載置面３ｃより高く、浴槽５の底面５ａと略同一の高さとされている。また、排水用凹部１１ｃは、浴槽載置面３ｃより低い位置まで凹設されているが、実施例１よりも浅くなっている。排水トラップ１５内の封水Ｗは浴槽載置面３ｃより下方に位置している。
【００５３】
浴槽載置面３ｃ上に支持部材４ｅ、４ｆを介して浴槽５が載置されている。浴槽５は、底面５ａに設けられた浴槽排水口５ｃを有している。
【００５４】
浴槽排水口５ｃには浴槽排水パイプ１７ｃが接続されている。浴槽排水パイプ１７ｃは浴槽載置面３ｃより上方で第１パイプ１７ｄ及び第２パイプ１７ｅに分岐されており、第１パイプ１７ｄは外部の図示しない排水路に接続されている。第２パイプ１７ｅの一端は浴槽載置面３ｃより上方まで延びており、第２パイプ１７ｅの他端は排水トラップ１５に接続されている。他の構成は実施例１と同様である。
【００５５】
この排水装置においても、実施例１と同様の作用効果を奏することができる。
【００５６】
以上において、本発明を実施例１〜３に即して説明したが、本発明は上記実施例１〜３に制限されるものではなく、その趣旨を逸脱しない範囲で適宜変更して適用できることはいうまでもない。
【産業上の利用可能性】
【００５７】
本発明は戸建て住宅、集合住宅等に利用可能である。
【図面の簡単な説明】
【００５８】
【図１】実施例１の排水装置を備えた浴室の模式斜視図である。
【図２】実施例１の排水装置を備えた浴室の要部断面図である。
【図３】実施例１の排水装置に係り、排水トラップの縦断面図である。
【図４】実施例１の排水装置に係り、排水トラップの模式横断面図である。
【図５】実施例１の排水装置に係り、キャッチャの横断面図である。
【図６】実施例１の排水装置に係り、キャッチャの拡大横断面図である。
【図７】実施例２の排水装置を備えた浴室の要部断面図である。
【図８】実施例３の排水装置を備えた浴室の要部断面図である。
【符号の説明】
【００５９】
３ａ、３ｂ、３ｃ…浴槽載置面
５…浴槽
７ａ、７ｂ、７ｃ…洗い場床面
１ａ、１ｂ、１ｃ…浴室
１５…排水トラップ
１７ａ、１７ｂ、１７ｃ…浴槽排水パイプ
１９ｂ…洗い場排水流入口
Ｗ…封水
１９ｃ…封水部
１９ｄ…排水口
１９ｅ…浴槽排水流入口
１９…ハウジング
３１ａ…網部
３１…キャッチャ
Ｒ１…流入室
Ｒ２…流出室
１９ｆ…浴槽排水流出口
１９ｇ…案内路
１３ａ…排水枡
４１ａ…吸込口
４１ｂ…給気口
４１…給気パイプ
５ａ…底面
５ｂ…立面
５ｄ…第２の浴槽排水口
【図１】
2009281044.tif 000003
【図２】
2009281044.tif 000004
【図３】
2009281044.tif 000005
【図４】
2009281044.tif 000006
【図５】
2009281044.tif 000007
【図６】
2009281044.tif 000008
【図７】
2009281044.tif 000009
【図８】
2009281044.tif 000010